(57)【要約】      （修正有）【課題】電磁シールド室内で使用する電源、通信又は設備用ケーブルなどと室外のケーブルとを接続するために介在させる差込口装置において、バラツキなくシールド性能を向上させることのできるシールド構造を提供する。【解決手段】電磁シールド室２の壁面に設置する差込口装置４の金属製ボックス５を電磁シールド層３に隙間なく接合すると共に，金属製ボックス内に設置したケーブル差込口６に電磁シールド室外からケーブル８を接続し，このケーブルの外周に磁性体１０を嵌合してケーブルの差込口装置を構成する。【選択図】    図１
2006303260.tif 000002
【特許請求の範囲】
【請求項１】
電磁シールド室の壁面に設置する差込口装置の金属製ボックスを電磁シールド層に隙間なく接合すると共に，金属製ボックス内に設置したケーブル差込口に電磁シールド室外からケーブルを接続し，金属製ボックス内において，上記ケーブルの外周に磁性体を嵌合したことを特徴とする電磁シールド室におけるケーブルの差込口装置
【請求項２】
磁性体は，複数のシート材を積層して構成することを特徴とする請求項１に記載の電磁シールド室におけるケーブルの差込口装置
【発明の詳細な説明】
【技術分野】
【０００１】
本発明は，電磁シールド室内で使用する電源，通信又は設備用ケーブル等と，電磁シールド室外のケーブルとを接続するために介在させる差込口装置に関するものである。
【背景技術】
【０００２】
近年，移動体通信技術が広く普及してきており，屋外における，携帯電話，自動車電話などの通話を主目的とした通信だけではなく，建物内におけるローカルエリアネットワーク（以下，ＬＡＮと云う）のためのデータ伝送手段としても利用されてきている。
【０００３】
建物内で用いられる移動体通信機器としては，携帯電話（800MHz帯，1.5GHz，1.9GHz），無線ＬＡＮ（2.45GHz，5.2GHz），ＰＨＳ（1.95GHz）などが挙げられるが，これらの通信機器で高速大容量の高速データ通信を実現するためには，外部からの不要な電磁波を遮蔽し，内部での機器間の干渉を防止する必要があり，そのための手段の一つとして電磁シールド技術が利用されている。
【０００４】
電磁シールド技術を利用した電磁シールド室は，室を構成する壁，床及び天井の全ての面を，電気抵抗の低い金属などで電磁シールド層として隙間無く囲う必要がある。
【０００５】
さらに，電磁シールド室内で電気設備や通信設備を使用するためには，電磁シールド層を貫通して電源・通信ケーブルを室内外で通線する必要がある。
【０００６】
しかしながら，これらのケーブルの金属部分を電磁シールド層と絶縁状態で貫通すると，金属部分が電磁ノイズを伝搬する媒体となり，電磁シールド性能が著しく低下することが知られている。従って電源・通信ケーブルの貫通処理には電源フィルタや通信フィルタ（＝ノイズカットフィルタ）の適用が一般的には行われる。
【０００７】
しかし，ノイズカットフィルタは高性能であるが，コストが高い，設置スペースが必要，施工が困難といった問題がある。
【０００８】
そこで電磁シールド層を貫通させてケーブル通線用の金属製の導波管を設置して，ケーブルをその中を通して通線することがよく行われている。例えば特許文献１，２を参照のこと。
【０００９】
導波管は鉄，銅，アルミニウム，ステンレス等の，電気抵抗が小さい管であり，電磁シールド層を貫通して設置した場合，そのままでは，開口の大きさにより決定されるカットオフ周波数以下の周波数の電磁波に対しては高いシールド性能が得られる。また導波管内に光ケーブル等の絶縁体のケーブルを通線した場合にも，上記と同等の高いシールド性能が得られる。
【００１０】
しかしながら光ケーブルを除く電源・通信ケーブルは一般的にメタルケーブルであり，これらの金属部分を電磁シールド層と絶縁状態で導波管内に貫通すると，導波管と金属部分が同軸線路として作用して電磁シールド性能が著しく低下する。
【００１１】
図５は電磁シールド室における電磁シールド性能を測定した結果を示すものであり，図中の表示，「開口なし」は導波管を設けない場合，「導波管」は導波管を設けたままの場合，「ケーブル貫通」は導波管にケーブルを貫通させた場合を示すもので，この例では導波管のカットオフ周波数は6GHzである。
【００１２】
図５に示されるように，電磁シールド室に開口が無い場合には，10GHzにおいても70dB以上のシールド性能を得ることができるのに対して，導波管を設けると，カットオフ周波数以下の低い周波数（810Mz〜）の電磁波に対しては高いシールド性能を維持しているが，カットオフ周波数に向かって次第に電磁シールド性能が低下し，カットオフ周波数以上の周波数帯域では電磁シールド性能が40dBを大幅に下回ってしまう。更に，導波管にケーブルを貫通させると，810Mz〜10GHzの周波数帯域に渡ってシールド性能が40dB以下と大きく低下している。
【００１３】
このため上述した特許文献１では，ケーブルの金属部分であるシールド層を露出させて，シールド層と導波管を金属線で接続しており，また特許文献２では，電磁シールド層の貫通部の手前側においてケーブルの絶縁部外周を覆うようにフェライト等の絶縁性磁性体を設けることによりケーブルのインピーダンスを大きくすることによりケーブル上の電磁波を通過しにくくしている。
【特許文献１】特開平５−２１９８１号公報
【特許文献２】特開２００３−６０３７９号公報
【発明の開示】
【発明が解決しようとする課題】
【００１４】
しかしながら特許文献１では，作業が比較的面倒であると共に，特許文献２では，導波管のカットオフ周波数以上の周波数の電磁波のシールド性能に難点がある。また特許文献１及び２のいずれも，導波管にケーブルを通線する工事において隙間が生じる等により，シールド性能にバラツキが生じる。
【００１５】
本発明は，以上の点に鑑みて創案されたものであって，電磁シールド室内で使用する電源，通信又は設備用ケーブル等と，電磁シールド室外のケーブルとを接続するために介在させる差込口装置において，バラツキなくシールド性能を向上させることを目的とするものである。
【課題を解決するための手段】
【００１６】
上述した課題を解決するために，本発明では，電磁シールド室の壁面に設置する差込口装置の金属製ボックスを電磁シールド層に隙間なく接合すると共に，金属製ボックス内に設置したケーブル差込口に電磁シールド室外からケーブルを接続し，金属製ボックス内において，上記ケーブルの外周に磁性体を嵌合した構成の，電磁シールド室におけるケーブルの差込口装置を提案するものである。
【００１７】
そして本発明では，上記構成において，磁性体は，複数のシート材を積層して構成することを提案するものである。
【００１８】
尚，磁性体における磁性材料は，電波吸収体等に利用されている適宜のものを使用することができる。
【発明の効果】
【００１９】
本発明では，電磁シールド室内で使用する電源，通信又は設備用ケーブル等の差込口と，電磁シールド室外のケーブルとの接続を，金属製ボックスを介して行うものとし，この金属製ボックスは電磁シールド層に隙間なく接合しているので，それ自体を電磁シールド層の一部として機能させることができ，電磁シールド性能を劣化させない。
【００２０】
そして金属製ボックス内において，差込口に至るケーブルの外周に磁性体が嵌合されているため，ケーブルと金属製ボックスを同軸線路と仮定した場合の線路のインピーダンスを高くして，同軸線路としての電磁波の伝播を抑制すると共に，導波管とケーブル間に磁性体が配置されているため，この磁性体による電磁波吸収作用及びインピーダンスの増加により，導波管のカットオフ周波数以上の周波数の電磁波の伝播を抑制することもでき，こうして広い周波数範囲に渡って高いシールド性能を得ることができる。
【００２１】
また本発明では，電磁シールド室内のケーブルと電磁シールド室外のケーブルの接続を差込口により行う構成であるので，上述した特許文献１，２に示される，ケーブルを導波管内に通線させるもののように，シールド性能のバラツキを生じない。
【００２２】
磁性体は，例えば電波吸収体等として市販されている汎用のシート材を積層することにより適宜の長さのものを構成することができ，この場合にはコストとシールド性能とを勘案して適切な磁性体を構成することができる。
【実施例１】
【００２３】
次に，本発明のケーブルの差込口装置の実施例を添付図面を参照して説明する。
図１は本発明に係るケーブルの差込口装置を示す断面図であり，図２は図１のＡ−Ａ線矢視図，図３は図１のＢ−Ｂ線断面図である。
【００２４】
符号１は電磁シールド室２の壁であり，図中右側が電磁シールド室２の室内側，左側が室外側である。符号３は電磁シールド室２の室内側の電磁シールド層を示すものである。符号４は電磁シールド室２の壁面に設置する差込口装置であり，この差込口装置４は，金属製ボックス５と，この金属製ボックス５内に設置した差込口６と，化粧パネル７とから構成されている。そして金属製ボックス５内に設置した差込口６に電磁シールド室２の外側からのケーブル８を接続している。尚，差込口６は，例えばコンセントやＬＡＮケーブルの差込口などの構成である。また金属製ボックス５に対しての差込口６や化粧パネル７の支持構造は適宜である。
【００２５】
金属製ボックス５は，鉄，銅，アルミニウム，ステンレス等，電気抵抗が低い金属で構成される箱状体であり，その断面形状は図２，図３に示すような矩形状の他，円形状，多角形状であっても良い。そしてこの金属製ボックス５は，上記電磁シールド層３に電気的に隙間なく接合する。図示の実施例では，金属製ボックス５に鍔部１２を形成し，この鍔部１２において電磁シールド層３に接合している。
【００２６】
このように金属製ボックス５は，電気抵抗が小さい金属で構成される箱状体で，壁１の厚さ方向に長さｄ1を有しているため，ケーブル８との隙間９等から侵入する電磁波に対しては，導波管として作用する。従って，断面形状の寸法によって決定されるカットオフ周波数以下の周波数の電磁波に対しては高いシールド性能を得ることができる。
【００２７】
以上の構成において本発明では，上記ケーブル８の外周に磁性体１０を嵌合したことを特徴とするもので，このようにケーブル８の外周に磁性体１０を嵌合することにより，ケーブル８と金属製ボックス５を同軸線路と仮定した場合の線路のインピーダンスが高くなるため同軸線路としての電磁波の伝播を抑制することができると共に，磁性体１０による電磁波吸収作用及び導波管としての金属製ボックス５内のインピーダンスの増加により，導波管のカットオフ周波数以上の周波数の電磁波の伝播を抑制することもでき，こうして広い周波数範囲に渡って高いシールド性能を得ることができる。
【００２８】
こうして本発明では，電磁シールド室２内で使用する電源，通信又は設備用のケーブルを，電磁シールド性能を劣化させずに金属製ボックス５に設置した差込口６を介して電磁シールド室２外のケーブル８と接続することができる。
【００２９】
ここで図に示す実施例では，磁性体１０は，シート材を複数枚積層して所定の厚さに構成している。例えば，厚さｄ＝１mmのシート材を適宜の枚数ｎ枚積層して，厚さｄ2＝ｄ×ｎ（mm）＜ｄ1の磁性体１０を構成することができる。
【００３０】
このシート材は，例えばフェライト等の磁性体の粉末を樹脂に混合して一体化したもので，電磁波の磁界成分に作用してそのエネルギーを熱に変換することにより，電磁波を吸収する作用を有するものである。また，シート材は導波管としての金属製ボックス５内のインピーダンスを増加させる機能を持つ。このようなシート材は，電波吸収体や，磁性シートあるいはノイズ抑制シートとして市販されている汎用のものを利用することができる。
【００３１】
尚，磁性体１０は，このようにシート材を複数枚積層して所定の長さに構成する他，所定の長さのものを一体に構成することもできる。また磁性体１０における磁性材料は，電波吸収体等に利用されている適宜のものを利用することができる。
【００３２】
また図では磁性体１０の周縁と金属製ボックス５の内壁間に隙間が形成されているが，この隙間を無くすことにより更なる電磁シールド性能の向上を図ることができる。この場合，金属製ボックス５と磁性体１０との間の他，磁性体１０の貫通孔１１とケーブル８との間に隙間が生じた場合には，それらの隙間を導電体により埋めることができる。
【００３３】
本発明を適用した場合の電磁シールド性能の測定結果の一例を示すと，次の通りである。
周波数              シールド効果（dB）
0.8〜1GHz                66.8
1〜2GHz                56.4
2〜3GHz                52.5
これに対して導波管に導電体を貫通させたものでは，図５に示されるように，上記と同様な周波数帯域の電磁波に対しての電磁シールド効果は次の通りである。
周波数              シールド効果（dB）
0.8〜1GHz                45〜50
1〜2GHz                50〜41
2〜3GHz                39〜41
以上から，本発明を適用することにより，電磁シールド性能を向上できることが分かる。
【産業上の利用可能性】
【００３４】
本発明は以上の通りであるので，次に示すような利点があり，産業上の利用可能性が大である。
【００３５】
１．本発明では，電磁シールド室内で使用する電源，通信又は設備用ケーブル等の差込口と，電磁シールド室外のケーブルとの接続を，金属製ボックスを介して行うものとし，この金属製ボックスは電磁シールド層に隙間なく接合しているので，それ自体を電磁シールド層の一部として機能させることができ，電磁シールド性能を劣化させない。
【００３６】
２．また金属製ボックス内において，差込口に至るケーブルの外周に磁性体が嵌合されているため，ケーブルと金属製ボックスを同軸線路と仮定した場合の線路のインピーダンスを高くして，同軸線路としての電磁波の伝播を抑制すると共に，導波管とケーブル間に磁性体が配置されているため，この磁性体による電磁波吸収作用及びインピーダンスの増加により，導波管のカットオフ周波数以上の周波数の電磁波の伝播を抑制することもでき，こうして広い周波数範囲に渡って高いシールド性能を得ることができる。
【００３７】
３．また本発明では，電磁シールド室内のケーブルと電磁シールド室外のケーブルの接続を差込口により行う構成であるので，ケーブルを導波管内に通線させるもののように，シールド性能のバラツキを生じない。
【００３８】
４．磁性体としては，例えば電波吸収体等として市販されている汎用のシート材を積層することにより適宜の長さのものを構成することができ，この場合にはコストとシールド性能とを勘案して適切な磁性体を構成することができる。
【図面の簡単な説明】
【００３９】
【図１】本発明に係るケーブルの差込口装置の実施例を示す断面図である。
【図２】図１のＡ−Ａ線矢視図である。
【図３】図１のＢ−Ｂ線断面図である。
【図４】磁性体を構成する要素の一例図である。
【図５】本発明を適用しない場合のシールド性能を測定した結果を示す説明図である。
【符号の説明】
【００４０】
１        壁
２        電磁シールド室
３        電磁シールド層
４        差込口装置
５        金属製ボックス
６        差込口
７        化粧パネル
８        ケーブル
９        隙間
１０      磁性体
１１      貫通孔
１２      鍔部
【図１】
2006303260.tif 000003
【図２】
2006303260.tif 000004
【図３】
2006303260.tif 000005
【図４】
2006303260.tif 000006
【図５】
2006303260.tif 000007